(57)【要約】【課題】キャビネット内への電気配線を、スペース効率よく、かつ見栄えがよい状態とし、しかもメンテナンス作業性にも優れたものとすることが可能なキャビネットにおける配線構造、およびこの構造を備えた洗面化粧台を提供する。【解決手段】キャビネットＣの内側に電気配線を施すためのキャビネットＣにおける配線構造Ａであって、キャビネットＣの内側に位置するようにしてキャビネットＣを構成する板部４Ｆに設けられ、かつ電気配線部材５が内部に配される配線通路用の凹溝部４４と、この凹溝部４４を塞ぐ閉塞部材４０ａ，４０ｂ，４Ｅと、を備えており、凹溝部４４が設けられた板部４Ｆおよび閉塞部材４０ａ，４０ｂ，４Ｅのいずれかは、キャビネットＣから取り外し可能とされ、かつこの取り外しにより凹溝部４４を開放状態に設定可能とされている。【選択図】  図２
2017080152.tif 000002
【特許請求の範囲】
【請求項１】
キャビネットの内側に電気配線を施すためのキャビネットにおける配線構造であって、
前記キャビネットの内側に位置するようにして前記キャビネットを構成する板部に設けられ、かつ電気配線部材が内部に配される配線通路用の凹溝部と、
この配線通路用の凹溝部を塞ぐ閉塞部材と、を備えており、
前記配線通路用の凹溝部が設けられた板部および前記閉塞部材のいずれかは、前記キャビネットから取り外し可能とされ、かつこの取り外しにより前記配線通路用の凹溝部を開放状態に設定可能とされていることを特徴とする、キャビネットにおける配線構造。
【請求項２】
請求項１に記載のキャビネットにおける配線構造であって、
前記キャビネットの縦仕切り板部、側板部、底板部、棚板部、天板部、または背板部の少なくともいずれか１つは、２つの分割板部が互いに接触または接近して重ね合わされた二重板構造とされ、
前記２つの分割板部の互いに対向する一対の面のうち、少なくとも一方の面には、前記配線通路用の凹溝部が設けられ、かつこの凹溝部が設けられている分割板部に重ね合わされている他方の分割板部が、前記閉塞部材である、キャビネットにおける配線構造。
【請求項３】
請求項２に記載のキャビネットにおける配線構造であって、
前記２つの分割板部は、全体の形状およびサイズが略同一とされている、キャビネットにおける配線構造。
【請求項４】
請求項２または３に記載のキャビネットにおける配線構造であって、
前記２つの分割板部の互いに対向する一対の面の双方に、前記配線通路用の凹溝部が互いに対面するようにして設けられており、かつ前記２つの分割板部の双方が、前記閉塞部材を兼用している、キャビネットにおける配線構造。
【請求項５】
キャビネットを備えた洗面化粧台であって、
請求項１ないし４のいずれかに記載のキャビネットにおける配線構造を有していることを特徴とする、洗面化粧台。
【請求項６】
請求項５に記載の洗面化粧台であって、
前記キャビネットの下側には、ＬＥＤ光源を有する照明器具が設けられ、かつ前記キャビネットの上側には、前記照明器具に電力供給を行なうための電源アダプタが設けられており、
これら電源アダプタと照明器具とは、請求項１ないし４のいずれかに記載のキャビネットにおける配線構造を用いて配線接続されている、洗面化粧台。
【発明の詳細な説明】
【技術分野】
【０００１】
本発明は、体裁よく電気配線を施すことが可能なキャビネットにおける配線構造、およびこの構造を備えた洗面化粧台に関する。
【背景技術】
【０００２】
洗面化粧台の具体例として、特許文献１に記載されているように、照明器具をキャビネットの上側および下側の双方に設けたものがある。この場合、上下双方の照明器具に電気配線接続を行なう必要があるが、電気配線コードをキャビネット内にそのまま通したのでは、電気配線コードが不体裁に見えることとなり、適切ではない。電気配線コードをキャビネットの背面側に通せば、電気配線部材が外部から見えないようにすることはできるものの、この場合には配線工事が面倒になる他、電気配線のメンテナンスを行なう際にはキャビネットを背後の壁部から取り外す必要が生じ、その作業もかなり面倒なものとなる。
【０００３】
前記した不具合を解消する手段として、特許文献２に記載されているように、キャビネット内に配線スペースを設けることが考えられる。しかしながら、同文献における配線スペースは、洗面化粧台のキャビネットの構成要素である２つの板部を互いに大きく離間させるように設け、かつこれら２つの板部の相互間のスペースを配線スペースとする手段である。したがって、このような手段によれば、キャビネット内における配線スペースの占有率が大きくなり、キャビネット内における本来の物品収容スペースが狭くなる不利がある。
【先行技術文献】
【特許文献】
【０００４】
【特許文献１】特開２００７−２９６０４１号公報
【特許文献２】特開２００１−５４４３３号公報
【発明の概要】
【発明が解決しようとする課題】
【０００５】
本発明は、前記したような事情のもとで考え出されたものであり、キャビネット内への電気配線を、スペース効率よく、かつ見栄えがよい状態とし、しかもメンテナンス作業性にも優れたものとすることが可能なキャビネットにおける配線構造、およびこの構造を備えた洗面化粧台を提供することを、その課題としている。
【課題を解決するための手段】
【０００６】
上記の課題を解決するため、本発明では、次の技術的手段を講じている。
【０００７】
本発明の第１の側面により提供されるキャビネットにおける配線構造は、キャビネットの内側に電気配線を施すためのキャビネットにおける配線構造であって、前記キャビネットの内側に位置するようにして前記キャビネットを構成する板部に設けられ、かつ電気配線部材が内部に配される配線通路用の凹溝部と、この配線通路用の凹溝部を塞ぐ閉塞部材と、を備えており、前記配線通路用の凹溝部が設けられた板部および前記閉塞部材のいずれかは、前記キャビネットから取り外し可能とされ、かつこの取り外しにより前記配線通路用の凹溝部を開放状態に設定可能とされていることを特徴としている。
ここで、前記キャビネットを構成する板部の例としては、キャビネットの縦仕切り板部、側板部、底板部、棚板部、天板部、または背板部が挙げられる。
【０００８】
このような構成によれば、次のような効果が得られる。
第１に、電気配線部材をキャビネット内において隠された状態に設定することが可能である。したがって、キャビネットの見栄えをよくすることができる。
第２に、電気配線部材を配置させるためのスペースとして、キャビネットを構成する板部に配線通路用の凹溝部を設けているため、特許文献２とは異なり、電気配線用のスペースをキャビネット内に大きな容積で設ける必要はない。したがって、電気配線用のスペースを確保することに起因して、キャビネット内の物品収容スペースが大きく狭められるといった不具合を無くすことができる。
第３に、閉塞部材を取り外すと、配線通路用の凹溝部内に配されている電気配線部材がキャビネット内において露出することとなる。したがって、電気配線部材のメンテナンス作業を、キャビネットの前面開口部側から行なうといったことが可能となり、メンテナンス作業性もよい。電気配線のメンテナンスに際し、キャビネットを背後の壁部から取り外す必要を無くすことができる。
【０００９】
本発明において、好ましくは、前記キャビネットの縦仕切り板部、側板部、底板部、棚板部、天板部、または背板部の少なくともいずれか１つは、２つの分割板部が互いに接触または接近して重ね合わされた二重板構造とされ、前記２つの分割板部の互いに対向する一対の面のうち、少なくとも一方の面には、前記配線通路用の凹溝部が設けられ、かつこの凹溝部が設けられている分割板部に重ね合わされている他方の分割板部が、前記閉塞部材である。
【００１０】
このような構成によれば、配線通路用の凹溝部が設けられて電気配線部材が配されている二重板構造の部分を、外観上において、違和感のない、または違和感の少ない部分とし、キャビネットの見栄えをよくする上で、より好ましいものとなる。
【００１１】
本発明において、好ましくは、前記２つの分割板部は、全体の形状およびサイズが略同一とされている。
【００１２】
このような構成によれば、前記した二重板構造の部分を、より体裁のよい状態とし、キャビネットの見栄えを一層よくすることができる。
【００１３】
本発明において、好ましくは、前記２つの分割板部の互いに対向する一対の面の双方に、前記配線通路用の凹溝部が互いに対面するようにして設けられており、かつ前記２つの分割板部の双方が、前記閉塞部材を兼用している。
【００１４】
このような構成によれば、２つの分割板部の一方のみに配線通路用の凹溝部を設ける場合とは異なり、２つの分割板部の厚みをさほど大きくすることなく、配線通路用の凹溝部の全体の容積を大きくすることができる。
【００１５】
本発明の第２の側面により提供される洗面化粧台は、キャビネットを備えた洗面化粧台であって、本発明の第１の側面により提供されるキャビネットにおける配線構造を有していることを特徴としている。
【００１６】
このような構成によれば、本発明の第１の側面により提供されるキャビネットにおける配線構造について述べたのと同様な効果が得られる。
【００１７】
本発明において、好ましくは、前記キャビネットの下側には、ＬＥＤ光源を有する照明器具が設けられ、かつ前記キャビネットの上側には、前記照明器具に電力供給を行なうための電源アダプタが設けられており、これら電源アダプタと前記照明器具とは、本発明の第１の側面により提供されるキャビネットにおける配線構造を用いて配線接続されている。
【００１８】
このような構成によれば、電源アダプタから発せられた熱が、キャビネットの下側の照明器具のＬＥＤ光源に悪影響を与えないようにしつつ、前記電源アダプタと照明器具との配線接続を見栄えよく、適切に行なうことができる。
【００１９】
本発明のその他の特徴および利点は、添付図面を参照して以下に行なう発明の実施の形態の説明から、より明らかになるであろう。
【図面の簡単な説明】
【００２０】
【図１】（ａ）は、本発明が適用された洗面化粧台の一例を示す斜視図であり、（ｂ）は、（ａ）に示す洗面化粧台のキャビネットの扉を開けた状態の斜視図である。
【図２】（ａ）は、図１に示すキャビネットの扉を省略した状態の要部正面図であり、（ｂ）は、（ａ）の要部正面断面図である。
【図３】（ａ）は、図２（ｂ）のIIIa−IIIa要部平面断面図であり、（ｂ）は、（ａ）の分解状態の平面断面図である。
【図４】（ａ）〜（ｄ）は、本発明の他の例を示す要部平面断面図である。
【図５】（ａ）は、本発明の他の例を概略的に示す要部正面図であり、（ｂ）は、（ａ）のVb−Vb断面図である。
【発明を実施するための形態】
【００２１】
以下、本発明の好ましい実施の形態について、図面を参照して具体的に説明する。
【００２２】
図１に示す洗面化粧台Ｂは、洗面台８の上側にキャビネットＣが組み合わされた構成を有している。キャビネットＣの上側には、照明器具１Ａおよび電源アダプタ２が取り付けられ、かつキャビネットＣの下側には、照明器具１Ｂが取り付けられている。本実施形態における配線構造Ａは、電源アダプタ２と下側の照明器具１Ｂとを配線接続するための構造として構築されている。
【００２３】
キャビネットＣは、複数の扉３ａ〜３ｃによって開閉される前面開口状の略直方体状のキャビネット本体部Ｃａを有している。キャビネット本体部Ｃａは、たとえば木製である。図２（ａ）によく表われているように、キャビネット本体部Ｃａは、本発明でいう「キャビネットを構成する板部」として、底板部４Ａ、天板部４Ｂ、左右の側板部４Ｃ，４Ｄ、および背板部４Ｅを有している他、上下高さ方向に延びる２つの縦仕切り板部４Ｆ，４Ｇを備えている。図面では省略されているが、物品載置用の水平状の棚板部も適宜設けられる。この棚板部は、縦仕切り板部４Ｆ，４Ｇの相互間、縦仕切り板部４Ｆと側板部４Ｄとの相互間、および縦仕切り板部４Ｇと側板部４Ｃとの相互間に設けられる。
【００２４】
照明器具１Ａ，１Ｂは、ともにＬＥＤ光源（図示略）を用いたものであり、電源アダプタ２は、家庭用の交流電源をＬＥＤ光源の駆動に適する直流電源に変換するものである。電源アダプタ２の使用時における発熱量は比較的多くなるが、この熱の影響を受けてＬＥＤ光源が高温条件下で使用されると、その使用寿命が短くなる。そこで、本実施形態においては、キャビネットＣの天板部４Ｂの上側に設けられて、内部に熱が籠もらないように上部開口状に形成された保護ケース１９内に、電源アダプタ２および上側の照明器具１Ａが収容され、かつこれらが互いに離間した配置とされている。これにより、電源アダプタ２が効率よく冷却されて、ＬＥＤ光源の長寿命化が図られる。保護ケース１９は、照明器具１Ａから発せられた光をキャビネットＣの背面側の壁面に向けて反射し、照明器具１Ａによる照明を間接照明とする役割も果たす。一方、下側の照明器具１Ｂは、キャビネットＣの底板部４Ａの下面に取り付けられている。
【００２５】
配線構造Ａは、電源アダプタ２と下側の照明器具１Ｂとを接続する電気配線コード５（
本発明でいう電気配線部材の一例）をキャビネットＣ内に通すための構造であり、次のようになっている。
【００２６】
すなわち、キャビネットＣの縦仕切り板部４Ｆは、２つの分割板部４０ａ，４０ｂが互いに接触して重ね合わされた二重板構造とされている。これら２つの分割板部４０ａ，４０ｂは、全体の形状およびサイズが略同一に揃えられている。図３によく表われているように、それら２つの分割板部４０ａ，４０ｂのうち、背板部４Ｅ寄りの後端部には、電気配線コード５が配される一対の配線通路用の凹溝部４４が設けられている。これら一対の凹溝部４４のそれぞれは、２つの分割板部４０ａ，４０ｂの互いに対向する面に設けられた切欠き状であり、分割板部４０ａ，４０ｂの上下高さ方向の全長域にわたって一連に延びた状態に設けられている。一対の凹溝部４４は、２つの分割板部４０ａ，４０ｂ自体、および背板部４Ｅによってその周囲が塞がれた格好となっており、２つの分割板部４０ａ，４０ｂどうしは、互いに分離させ得るようにネジ止め（図示略）などの手段を利用して連結されている。本実施形態において、２つの分割板部４０ａ，４０ｂは、配線通路用の凹溝部４４が設けられた部材に相当するが、本発明でいう閉塞部材にも相当する。背板部４Ａも、閉塞部材に相当する。
【００２７】
図１（ｂ）に表われているように、一方の分割板部４０ａには、扉３ａを支持するヒンジ部材９ａが取り付けられている。このため、他方の分割板部４０ｂは、一方の分割板部４０ａよりもキャビネット本体部Ｃａから取り外しが容易な状態とされている（たとえば、分割板部４０ａへのネジ止めを解除するだけで分割板部４０ｂをキャビネットＣの前面開口部から外部に取り出し可能とされている）。本実施形態では、一方の分割板部４０ａをキャビネットＣから取り外すことなく、他方の分割板部４０ｂのみをキャビネットＣから取り外すことにより、電気配線コード５を露出させることが可能とされている。分割板部４０ｂは、配線通路用の凹溝部４４を形成するためだけに設けられたものではなく、ヒンジ部材９ａの不図示の取付け用の孔部を塞ぐ、あるいは補強するために元々設けられているものなので、分割板部４０ｂを設けることによって物品収容スペースが狭められることは実質的には無いと言える。
【００２８】
図２に示すように、キャビネットＣの天板部４Ｂおよび底板部４Ａには、電気配線コード５が挿通される孔部７ａ，７ｂが一対の凹溝部４４に連通して設けられている。電気配線コード５は、孔部７ａ、凹溝部４４、および孔部７ｂを一連に通過するように配され、電源アダプタ２と下側の照明器具１Ｂとを接続している。
【００２９】
本実施形態においては、キャビネットＣの他方の縦仕切り板部４Ｇも２つの分割板部４８ａ，４８ｂが重ね合わされた二重板構造とされている。このような構成によれば、扉３ｂを開けた際に、２つの縦仕切り板部４Ｆ，４Ｇの外観が同一または略同一となり、違和感がない。なお、縦仕切り板部４Ｇの２つの分割板部４８ａ，４８ｂには、扉３ｂを支持するヒンジ部材９ｂ、および扉３ｃを支持するヒンジ部材（図示略）がそれぞれ取り付けられている。
【００３０】
次に、前記した配線構造Ａを備えた洗面化粧台Ｂの作用について説明する。
【００３１】
まず、電気配線コード５をキャビネットＣ内において隠された状態に配置することが可能であるため、扉３ａ〜３ｃを開けた際のキャビネットＣ内の見栄えがよい。とくに、電気配線コード５が内部に通された縦仕切り板部４Ｆは、全体の形状およびサイズが略同一の２つの分割板部４０ａ，４０ｂが重ね合わされた体裁のよい二重板構造とされているために、縦仕切り板部４Ｆの形態として違和感がないものとすることができる。他方の縦仕切り板部４Ｇも、二重板構造とされており、２つの縦仕切り板部４Ｆ，４Ｇが同様な外観形態であるため、違和感が一層無くなる。
【００３２】
電気配線コード５は、縦仕切り板部４Ｆの内部に配されており、たとえば電気配線用のスペースが、キャビネットＣ内において嵩張った状態とはならない。したがって、電気配線用のスペースが嵩張ることに起因してキャビネットＣ内の物品収容スペースが狭くなるといったことも生じないようにすることができる。
【００３３】
縦仕切り板部４Ｆのうち、分割板部４０ｂを分割板部４０ａから分離させてキャビネットＣから取り外せば、配線通路用の凹溝部４４内に配されている電気配線コード５をキャビネットＣ内において露出させることができる。分割板部４０ｂを取り外す作業や、露出した電気配線コード５の確認、交換作業などは、キャビネットＣの前面側から簡単に行なうことが可能である。したがって、電源アダプタ２や照明器具１Ａ，１Ｂのメンテナンス作業などの容易化が図られ、便利である。
【００３４】
図４〜図６は、本発明の他の実施形態を示している。これらの図において、前記実施形態と同一または類似の要素には、前記実施形態と同一の符号を付すこととし、重複説明は省略する。
【００３５】
図４（ａ）に示す実施形態においては、縦仕切り板部４Ｆを構成する２つの分割板部４０ａ，４０ｂのうち、一方の分割板部４０ａのみに凹溝部４４が設けられ、かつ他方の分割板部４０ｂには凹溝部は設けられていない。他方の分割板部４０ｂは、本発明でいう閉塞部材に相当する。
本実施形態においては、前記実施形態と比較すると、凹溝部４４の全体の容積を大きくし難くなるものの、それ以外については、前記実施形態と同様に、電気配線コード５を体裁よく、かつスペース効率のよい状態でキャビネットＣ内に通すことができる。
【００３６】
図４（ｂ）に示す実施形態においては、キャビネットＣの側板部４Ｄが、２つの分割板部４３ａ，４３ｂを備えた二重板構造とされている。２つの分割板部４３ａ，４３ｂのうち、一方には、配線通路用の凹溝部４４が形成され、かつ他方は、この凹溝部４４を塞いでいる。勿論、図３に示した構造と同様に、２つの分割板部４３ａ，４３ｂの双方に凹溝部４４を形成してもよい。
本実施形態においても、縦仕切り板部４Ｆに配線通路用の凹溝部４４を設けた先の実施形態と同様な作用を得ることが可能である。
【００３７】
図４（ｃ）に示す実施形態においては、縦仕切り板部４Ｆを構成する２つの分割板部４０ａ，４０ｂのサイズが大きく相違している。この場合には、実質的に縦仕切り板部４Ｆが二重板構造であるとは言えないが、本実施形態の構成によっても、本発明の意図する効果が得られる。なお、本実施形態の場合には、小サイズ側の分割板部４０ｂを取り外すことにより、電気配線コード５のメンテナンスを行なうことができるが、分割板部４０ｂが小サイズであれば、その取り外し作業などは一層容易となる。また、小サイズ側の分割板部４０ｂをシート状などの薄型形状にすれば、見栄えをさらに良くすることができる。
【００３８】
図４（ｄ）に示す実施形態においては、縦仕切り板部４Ｆのうち、背板部４Ｅに対向する後端面に、配線通路用の凹溝部４４を形成している。背板部４Ｅは、凹溝部４４を塞いでおり、本発明でいう閉塞部材に相当する。
本実施形態においては、縦仕切り板部４Ｆが二重板構造とはされておらず、縦仕切り板部４Ｆは、１枚の板材のみによって構成され、かつキャビネットＣからその前面側に取り出し可能とされている。このような構成においても、電気配線コード５を体裁よく、かつスペース効率のよい状態でキャビネットＣ内に通すことが可能であり、本発明が意図する効果を得ることが可能である。
なお、図４（ｄ）において、配線通路用の凹溝部４４を、縦仕切り板部４Ｆに設けるこ
とに代えて、または加えて、背板部４Ｅのうち、縦仕切り板部４Ｆに対面する箇所に設けられた構成とすることもできる。
【００３９】
図５に示す実施形態においては、電気配線コード５が、キャビネットＣに対して左右横幅方向に通されており、この点が、キャビネットＣに対して電気配線コード５が上下高さ方向に通されていた先の実施形態とは異なっている。本実施形態においては、キャビネットＣの底板部４Ａが、上下の分割板部４５ａ，４５ｂを重ね合わせた二重板構造とされており、これらの双方または一方に、配線通路用の凹溝部４４が設けられている。上側の分割板部４５ａは、縦仕切り板部４Ｆ，４Ｇとの干渉を回避すべく、水平方向において複数の板材に分割されており、かつこれらは下側の分割板部４５ｂ上から取り外し可能である。
本実施形態においては、電気配線コード５をキャビネットＣ内において略水平な状態に設定することができる。
なお、これと同様に、電気配線コード５を略水平な状態に設定するための手段としては、キャビネットＣの水平方向に延びた天板部４Ｂ、あるいは棚板部（図示略）を図５に示したのと同様な構成とする手段を採用することもできる。
【００４０】
本発明は、上述した実施形態の内容に限定されない。本発明に係るキャビネットにおける配線構造、および洗面化粧台の各部の具体的な構成は、本発明の意図する範囲内において種々に設計変更自在である。
【００４１】
本発明におけるキャビネットの板部としては、既述したように、たとえば縦仕切り板部、側板部、底板部、棚板部、天板部、または背板部があるが、本発明においては、これらのうちのいずれに配線通路用の凹溝部を設けた構成としてもよい。また、配線通路用の凹溝部は、１つの板部に設けるだけではなく、たとえば複数の板部に設けた構成としてもよい。具体例を挙げると、図２（ａ）において、縦仕切り板部４Ｆに配線通路用の凹溝部４４が設けられた構成に加えて、底板部４Ａにも配線通路用の凹溝部をさらに設け、かつこれら２つの配線通路用の凹溝部に電気配線コードを一連に通した構成とすることが可能である。キャビネットの扉３ａ〜３ｃの少なくともいずれか１つは、鏡を備えたいわゆるミラー扉とすることができる。
【００４２】
本発明でいうキャビネットは、洗面化粧台のキャビネットに限らない。たとえば、台所に設置されるアッパキャビネットやフロアキャビネットなど、他の様々なキャビネットを含む。
上述の実施形態では、照明器具と電源アダプタとの配線接続を一例として説明したが、配線接続の対象は限定されない。コンセントなどの電源設備の他、照明器具のスイッチなどの各種のスイッチ、充電器やその他の各種の電気機械・器具類を配線接続対象とすることが可能である。
電気配線部材は、電気配線コードに限らず、ケーブル状の部材でもよい。また、電気配線部材は、電力供給用の他に、各種の電気信号やデータの伝送に用いられるものであってもよい。
【符号の説明】
【００４３】
Ａ  配線構造（キャビネットにおける配線構造）
Ｂ  洗面化粧台
Ｃ  キャビネット
１Ａ，１Ｂ  照明器具
２  電源アダプタ
４Ａ  底板部
４Ｂ  天板部
４Ｃ，４Ｄ  側板部
４Ｅ  背板部
４Ｆ，４Ｇ  縦仕切り板部（板部）
４０ａ，４０ｂ  分割板部（閉塞部材）
４３ａ，４３ｂ  分割板部
４４  配線通路用の凹溝部
４５ａ，４５ｂ  分割板部
５  電気配線コード（電気配線部材）
【図１】
2017080152.tif 000003
【図２】
2017080152.tif 000004
【図３】
2017080152.tif 000005
【図４】
2017080152.tif 000006
【図５】
2017080152.tif 000007